(57)【特許請求の範囲】
【請求項１】
車両に搭載される車載装置であって、
前記車両が駐車する駐車場の駐車料金の支払いをクレジット決済によりおこなうか否かのユーザの意思を入力するために用いられる入力手段と、
目的地を設定する目的地設定手段と、
前記目的地設定手段により設定された目的地が前記駐車場を含む施設である場合に、当該目的地設定のとき、または前記車両の位置から前記設定された目的地に移動するのに要する距離が所定の距離になったときに、当該駐車場の駐車料金の支払いをクレジット決済によりおこなうか否かのユーザの意思を入力させるように前記入力手段を制御する入力制御手段と、
を備えることを特徴とする車載装置。
【請求項２】
請求項１に記載の車載装置であって、
前記車両が前記駐車場の入口に到着したことを検出する入口到着検出手段と、
前記車両が前記駐車場の入口に到着したことが検出されたときに、前記入力手段により入力された当該駐車場の駐車料金の支払いをクレジット決済によりおこなう旨のユーザの意思を示すクレジット決済意思表示情報を送信する送信手段と、
を更に備えることを特徴とする車載装置。
【請求項３】
請求項１または２に記載の車載装置であって、
前記駐車場の駐車料金を示す料金情報を取得する料金情報取得手段を更に備え、
前記入力制御手段は、クレジット決済により支払いを可能とする金額の上限を前記ユーザに入力させるように前記入力手段を制御し、
前記取得された料金情報が示す駐車料金が前記入力された金額の上限以下である場合に、前記駐車場の駐車料金の支払いをクレジット決済によりおこなう旨のユーザの意思を示すクレジット決済意思表示情報を送信する送信手段を更に備えることを特徴とする車載装置。
【請求項４】
車両に搭載される車載装置により実行される決済意思確認方法であって、
目的地を設定する目的地設定工程と、
前記目的地設定工程により設定された目的地が駐車場を含む施設である場合に、当該目的地設定のとき、または前記車両の位置から前記設定された目的地に移動するのに要する距離が所定の距離になったときに、前記車両が駐車する駐車場の駐車料金の支払いをクレジット決済によりおこなうか否かのユーザの意思を入力するために用いられる入力手段を用いて、前記ユーザの意思を入力させるように前記入力手段を制御する入力制御工程と、
を有することを特徴とする決済意思確認方法。
【請求項５】
車両に搭載される車載装置に含まれるコンピュータを、
目的地を設定する目的地設定手段、及び、
前記目的地設定手段により設定された目的地が駐車場を含む施設である場合に、当該目的地設定のとき、または前記車両の位置から前記設定された目的地に移動するのに要する距離が所定の距離になったときに、前記車両が駐車する駐車場の駐車料金の支払いをクレジット決済によりおこなうか否かのユーザの意思を入力するために用いられる入力手段を用いて、前記ユーザの意思を入力させるように前記入力手段を制御する入力制御手段、
として機能させることを特徴とする車載装置用プログラム。
【発明の詳細な説明】
【技術分野】
【０００１】
本願は、クレジット決済を含む複数の決済方法から駐車料金の決済方法が選択可能な駐車場の利用の際、決済方法の意思確認に用いられる車載装置、決済システム、サーバ装置、決済意思確認方法、車載装置用プログラム及びサーバ装置用プログラムの技術分野に関する。
【背景技術】
【０００２】
従来、利用する都度駐車料金の決済が必要な有料駐車場において、駐車料金の決済方法として、現金決済のほか、クレジットカードによる決済（以下、クレジット決済と称する）を選択することができる駐車場が知られている。クレジット決済においては、わざわざ現金を用意出する必要がないという利便性があることから、この利便性等を考慮した駐車料金の決済方法が提案されている。
【０００３】
例えば、特許文献１には、車両が駐車場の出口ゲートに進むと、車両に搭載された車載器が支払いをＥＴＣ（Electronic Toll Collection System）カードで行うか（クレジット決済で行うか）現金で行うかのメッセージを報知し、ユーザがＥＴＣカードでの支払いを指示する操作を行うと、駐車場の出入口ゲートに設置された無線通信機が駐車料金の課金処理を行い出口ゲートを開放させる方法が開示されている。
【先行技術文献】
【特許文献】
【０００４】
【特許文献１】特開２００３−２５６８９７
【発明の概要】
【発明が解決しようとする課題】
【０００５】
しかしながら、特許文献１に記載の方法では、車両が駐車場の出口に着いたときにユーザが支払い方法を選択しなければならない。そのため、支払い方法を選択するのに要する時間だけ車両が駐車場から退出するのが遅くなるとともに、当該退出するのが遅くなるにともない駐車場の出口付近で混雑を招く虞がある。
【０００６】
その一方で、安全性や確実性等に鑑みると、クレジット決済の利用に当たっては、ユーザにその意思の表明を行わせることが好ましい。つまり、ユーザの意思を確認せずにクレジット決済を行うと、トラブルの原因にもなり兼ねない。その点、特許文献１に記載の方法では、ＥＴＣカードでの支払いを指示するユーザの操作が、クレジット決済を行う当該ユーザの意思の表明に対応する。
【０００７】
本願は、以上の点に鑑みてなされたものであり、その課題の一例は、有料駐車場の駐車料金についてクレジット決済の利用の意思を確認することができるとともに、車両がスムーズに有料駐車場から出ることができる車載装置、決済意思確認方法及び車載装置用プログラムを提供することにある。
【課題を解決するための手段】
【０００８】
上記課題を解決するために、請求項１に記載の発明は、車両に搭載される車載装置であって、前記車両が駐車する駐車場の駐車料金の支払いをクレジット決済によりおこなうか否かのユーザの意思を入力するために用いられる入力手段と、目的地を設定する目的地設定手段と、前記目的地設定手段により設定された目的地が前記駐車場を含む施設である場合に、当該目的地設定のとき、または前記車両の位置から前記設定された目的地に移動するのに要する距離が所定の距離になったときに、当該駐車場の駐車料金の支払いをクレジット決済によりおこなうか否かのユーザの意思を入力させるように前記入力手段を制御する入力制御手段と、を備える。
【００１４】
請求項４に記載の発明は、車両に搭載される車載装置により実行される決済意思確認方法であって、目的地を設定する目的地設定工程と、前記目的地設定工程により設定された目的地が駐車場を含む施設である場合に、当該目的地設定のとき、または前記車両の位置から前記設定された目的地に移動するのに要する距離が所定の距離になったときに、前記車両が駐車する駐車場の駐車料金の支払いをクレジット決済によりおこなうか否かのユーザの意思を入力するために用いられる入力手段を用いて、前記ユーザの意思を入力させるように前記入力手段を制御する入力制御工程と、を有する。
【００１５】
請求項５に記載の発明は、車両に搭載される車載装置に含まれるコンピュータを、目的地を設定する目的地設定手段、及び、前記目的地設定手段により設定された目的地が駐車場を含む施設である場合に、当該目的地設定のとき、または前記車両の位置から前記設定された目的地に移動するのに要する距離が所定の距離になったときに、前記車両が駐車する駐車場の駐車料金の支払いをクレジット決済によりおこなうか否かのユーザの意思を入力するために用いられる入力手段を用いて、前記ユーザの意思を入力させるように前記入力手段を制御する入力制御手段、として機能させる。
【図面の簡単な説明】
【００１７】
【図１】第１実施形態に係る駐車料金決済システムＳの概要構成の一例を示すブロック図である。
【図２】第１実施形態に係る車載器１の概要構成の一例を示すブロック図である。
【図３】第１実施形態に係る駐車料金サーバ２の概要構成の一例を示すブロック図である。
【図４】第１実施形態に係る車載器１の目的地設定時の処理例を示すフローチャートである。
【図５】第１実施形態に係る駐車料金決済システムＳの駐車場Ｐの利用時における実施例１の処理例を示すフローチャートである。
【図６】第１実施形態に係る駐車料金決済システムＳの駐車場Ｐの利用時における実施例１の処理例を示すフローチャートである。
【図７】第１実施形態に係る駐車料金決済システムＳの駐車場Ｐの利用時における実施例２の処理例を示すフローチャートである。
【図８】第２実施形態に係る駐車料金決済システムＳの駐車場Ｐの利用時における実施例１の処理例を示すフローチャートである。
【図９】第２実施形態に係る駐車料金決済システムＳの駐車場Ｐの利用時における実施例１の処理例を示すフローチャートである。
【図１０】第２実施形態に係る駐車料金決済システムＳの駐車場Ｐの利用時における実施例２の処理例を示すフローチャートである。
【発明を実施するための形態】
【００１８】
以下、図面を参照して本願の実施形態について詳細に説明する。なお、以下に説明する実施の形態は、駐車料金決済システムに対して本願を適用した場合の実施形態である。
【００１９】
［１．第１実施形態］
［１．１  駐車料金支払いシステムの概要構成］
先ず、本実施形態に係る駐車料金支払いシステムＳの概要構成について、図１を用いて説明する。
【００２０】
図１は、本実施形態に係る駐車料金支払いシステムＳの概要構成の一例を示すブロック図である。
【００２１】
図１に示すように、駐車料金支払いシステムＳは、複数の車両の夫々に搭載された車載器１（車載装置の一例）と、駐車料金サーバ２（サーバ装置の一例）と、クレジット会社サーバ５と、を備えている。また、駐車料金支払いシステムＳは、複数の駐車場Ｐの夫々に設置された入口装置３と出口装置４とを備えている。そして、駐車料金サーバ２と入口装置３、出口装置４及びクレジット会社サーバ５とは、ネットワークＮＷを介して互いに通信可能になっている。
【００２２】
駐車場Ｐは、１回の利用毎に駐車料金が請求される有料駐車場である。この駐車場Ｐは、駐車時間に応じて駐車料金が加算される。また、駐車場Ｐの駐車料金の支払い方法としては、クレジット決済による支払いを含む複数の支払い方法からユーザが一つの支払い方法を選択可能になっている。クレジット決済の支払い以外の支払い方法としては、例えば、現金支払い、プリペードカードによる支払い等がある。なお、本実施形態においては、駐車料金の支払い方法として、クレジット決済による支払いと現金支払いとが選択可能であるものとして以下説明する。
【００２３】
クレジット会社サーバ５は、クレジットカードを発行している信販会社又は銀行等により設置されたサーバ装置である。このクレジット会社サーバ５は、駐車料金サーバ２から送信されてきたクレジット決済情報に基づいて、駐車場Ｐに駐車した車両の駐車料金をクレジットカードで決済する処理を行う。
【００２４】
入口装置３は、駐車場Ｐの入口に設置されている。この入口装置３は、例えば、駐車場Ｐの入口ゲートを駆動制御する駆動部、ネットワークＮＷを介して駐車料金サーバ２との通信を制御する通信部、車載器１との無線通信を制御する無線通信部、駐車券を発券する発券部、これらを統括制御する制御部等を備えている。車載器１を搭載した車両（以下、搭載車両と称する）が駐車場Ｐの入口ゲートに到着すると、入口装置３は、車載器１との間で無線通信を行い車両識別情報を車載器１から受信する。車両識別情報は、搭載車両を識別するための情報である。なお、通信部は、当該車両識別情報を駐車料金サーバ２へ送信する。
【００２５】
出口装置４は、駐車場Ｐの出口に設置されている。この出口装置４は、例えば、駐車場Ｐの出口ゲートを駆動制御する駆動部、ネットワークＮＷを介して駐車料金サーバ２との通信を制御する通信部、車載器１との無線通信を制御する無線通信部、駐車料金を現金にて領収する現金領収部、これらを統括制御する制御部等を備えている。搭載車両が駐車場Ｐの出口ゲートに到着すると、出口装置４は、車載器１との間で無線通信を行い車両識別情報を車載器１から受信する。そして、通信部は、当該車両識別情報を駐車料金サーバ２へ送信する。
【００２６】
車載器１と駐車料金サーバ２とは、入口装置３とネットワークＮＷとを介して互いにデータを送受信することが可能になっているとともに、出口装置４とネットワークＮＷとを介して互いに通信可能になっている。なお、ネットワークＮＷに所定の基地局を接続し、この基地局と車載器１とが無線通信することにより、車載器１と駐車料金サーバ２とでデータの送受信を行うように構成されても良い。ちなみに、駐車料金サーバ２は、必要に応じて出力装置４における現金領収部を制御する。
【００２７】
車載器１は、入口装置３及びネットワークＮＷ、又は、入口装置３及びネットワークＮＷを介して駐車料金サーバ２と通信可能になっている。この車載器１としては、例えば、ナビゲーション装置、オーディオプレーヤー、ＥＴＣ（Electronic Toll Collection System）車載器等が適用可能である。なお、本実施形態においては、車載器１としてナビゲーション装置が適用されているものとして以下説明する。
【００２８】
［１．２  車載器の構成及び機能］
次に、車載器１の構成について、図２を用いて説明する。
【００２９】
図２は、本実施形態に係る車載器１の概要構成の一例を示すブロック図である。
【００３０】
図２に示すように、車載器１は、ＣＰＵ（Central Processing Unit）、ＲＡＭ（Random Access Memory）、ＲＯＭ（Read Only Memory）等を備える制御部１１と、各種プログラム及び各種データ等を記憶する記憶部１２（例えば、フラッシュメモリ、ハードディスクドライブ等）と、搭乗者（車載器１を利用するユーザ）からの操作指示を受け付け、その指示内容を指示信号として制御部１１に出力する操作部１３（入力手段の一例）と、画像や文字等の情報を表示する表示部１４（例えば、液晶ディスプレイ等）と、アンテナＡＴを介して入口装置３や出口装置４と電波の送受信を行う無線通信部１５と、ＧＰＳ（Global Positioning System）センサ、車速センサ、ジャイロセンサ等の搭載車両の位置及び方位を特定するための各種センサから構成されるセンサ部１６と、クレジットカードが挿入される挿入口を有し、挿入されたクレジットカードからクレジットカードの番号、クレジットカードの名義人の名前、クレジットカードの有効期限等のカード情報を読み出すカード読取部１７と、を備え、制御部１１と各部とはシステムバス１８を介して相互に接続されている。
【００３１】
制御部１１は、ＣＰＵが、ＲＯＭまたは記憶部１２に記憶された各種プログラム（車載装置用プログラムの一例を含む）を読み出し実行することにより、車載器１の各部を統括制御するとともに、入力制御手段、送信手段、意思表示情報送信手段、目的地設定手段、移動経路設定手段、現在位置情報取得手段、入口到着検出手段、意思確認要求情報受信手段及び料金情報取得手段等として機能するようになっている。
【００３２】
記憶部１２には、ナビゲーション処理に必要な地図データが記憶されている。この地図データは、例えば、施設の位置、種別、識別情報、名称、詳細情報等を規定する施設データ、道路の位置形状、接続情報、分岐地点等の情報を規定する道路データ等により構成されている。また、記憶部１２には、搭載車両の車両識別情報が記憶されている。この車両識別情報としては、例えば、車両の登録ナンバーや車体番号等が用いられる。
【００３３】
なお、記憶部１２に記憶される各種プログラムは、例えば、ＣＤ−ＲＯＭ等の記録媒体に記録されてドライブ装置を介して読み込まれるようにしても良いし、無線通信部１５を介してサーバ１等からダウンロードされるようにしても良い。
【００３４】
このような構成の車載器１において、制御部１１は、搭載車両の移動経路を案内するためのナビゲーション処理を行う。例えば、制御部１１は、現在位置情報取得手段として、センサ部１６から出力された各種データに基づいて搭載車両の現在位置を求める。そして、制御部１１は、記憶部１２に記憶されている地図データに基づいて、現在位置周辺の地図を表示部１４に表示させるとともに、搭載車両の現在位置を示す自車位置マークを表示部１４に表示させる。また、制御部１１は、目的地設定手段として、搭乗者からの操作部１３の操作に基づいて、搭載車両がこれから向かう目的地を設定する。例えば、制御部１１は、地図検索や施設検索等により目的地候補を搭乗者に提示し、搭乗者に選択された地点を目的地として設定する。制御部１１は、目的地が設定されると、移動経路設定手段として、搭載車両の現在位置から目的地までの移動経路を設定する。そして、制御部１１は、地図上に移動経路と自車位置マークとを表示させたり、案内情報を表示させる等して、経路誘導を行う。
【００３５】
また、制御部１１は、搭載車両が駐車場Ｐに駐車した際の駐車料金の支払い方法が搭乗者から選択された場合、選択された支払い方法で支払いを要求するための処理を行う。
【００３６】
具体的に、制御部１１は、搭載車両が駐車場Ｐの出口ゲートに到着したとき、車両識別情報を出口装置４ならびにネットワークＮＷを駐車料金サーバ２に送信するとともに、意思確認要求情報受信手段として、駐車料金サーバ２から意思確認要求（意思確認要求情報の一例）ならびに駐車料金情報を受信する。すると、制御部１１は、利用した駐車場Ｐの駐車料金（受信した駐車料金情報で示される駐車料金）をクレジット決済によって支払うか否かを確認するための意思確認画面を表示部１４に表示する。この意思確認画面においては、例えば、「クレジット決済しますか？」というメッセージが表示される。ここで、搭乗者が操作部１３の操作により「はい」又は「いいえ」を選択すると、制御部１１は、意思表示情報送信手段として、意思表示通知（意思表示情報の一例）を出口装置４を介して駐車料金サーバ２に送信する。この意思表示通知には、クレジット決済の意思の有無を示すクレジット決済意思種別が設定される。制御部１１は、「はい」が選択されると、クレジット決済意思種別として「クレジット決済の意思の有り」を意思表示通知に設定する。また、制御部１１は、クレジットカードが挿入されていることを確認した場合にカード読取部１７に当該挿入されたクレジットカードのカード情報をカード読取部１７により読み取らせ、このカード情報を意思表示通知に設定する。一方、クレジットカードが挿入されていないことを確認した場合には、たとえば、「クレジットカードを挿入してください。」というメッセージが表示される。そして、「クレジット決済の意思の有り」及びカード情報が設定された意思表示通知を受信した駐車料金サーバ２によりクレジット決済に必要な処理が行われ、たとえば、当該必要な処理が正常に行われた場合に出口ゲートが開放される。一方、制御部１１は、「いいえ」が選択されると、クレジット決済意思種別として「クレジット決済の意思の無し」を意思表示通知に設定する。そして、搭乗者が現金で駐車料金を支払う旨の意思が確認されると、たとえば、出口装置４が現金支払いをお願いする旨の音声案内や駐車料金の表示等を行い、搭乗者に対し当該現金領収部に備えられている現金投入口に駐車料金に相当する現金を投入させる。そして、駐車料金を満たす現金の投入がなされた場合に出口ゲートが開放される。
【００３７】
また、上述した駐車場Ｐの出口ゲートでのクレジット決済の意思確認に伴う搭乗者の選択操作を省略（スキップ）するため、制御部１１は、入力制御手段として、これから利用される駐車場Ｐの場外に搭載車両が位置している間に、駐車料金の支払い方法としてクレジット決済を利用する意思（当該選択操作をスキップするという意思）を搭乗者に入力させるように制御する。そして、制御部１１は、クレジット決済を利用する意思が有る（当該選択操作をスキップする意思がある）と判定された場合には、出口ゲートでの意思確認に伴う選択操作をスキップするための処理、すなわち、後述するスキップ設定情報で示される意思表示通知を送信して、意思確認画面を表示しない処理を行う。
【００３８】
具体的に、たとえば、制御部１１は、搭載車両がこれから向かう目的地として、駐車場Ｐを含む施設（駐車場Ｐそのものであっても良い）が設定された場合、その時点で、目的地における駐車場Ｐの駐車料金の支払いにクレジット決済を利用する意思（選択操作をスキップする意思）を搭乗者に確認させる。例えば、制御部１１は、駐車場Ｐを含む施設が目的地として設定されたとき、スキップ設定問い合わせ画面を表示部１４に表示させる。このスキップ設定問い合わせ画面においては、例えば、「スキップ設定しますか？」というメッセージを表示させる。ここで、搭乗者が操作部１３の操作により「はい」を選択すると、制御部１１は、スキップ設定を行う。より具体的に、制御部１１は、例えば、設定された目的地における駐車場Ｐの識別情報等を含むスキップ設定情報を記憶部１２に記憶させる。このスキップ設定情報は、設定された目的地における駐車場Ｐの駐車料金の支払いをする場合には、クレジット決済による支払いを行うという搭乗者の意思表示を示す情報である。
【００３９】
目的地が設定された時点で搭乗者の意思確認が行われるので、搭載車両が駐車場Ｐに到着する前に、つまり、駐車場Ｐの外側で搭乗者の意思確認が行われることとなる。ただし、搭載車両が或る駐車場Ｐに駐車している間に、これとは別の駐車場Ｐが目的地として設定された場合、目的地として設定された方の駐車場Ｐの駐車料金についてクレジット決済を利用する意思を確認することは可能である。
【００４０】
スキップ設定が行われた後、搭載車両の駐車場Ｐへの入庫時（より詳細には、搭載車両が駐車場Ｐの場外から入口ゲートの前に着いたとき）、又は搭載車両の駐車場Ｐからの出庫時（より詳細には、搭載車両が駐車場Ｐの場内から出口ゲートの前に着いたとき）に、受信した駐車料金サーバ２からの意思確認要求に対し、制御部１１は、意思表示情報送信手段として、この駐車場Ｐに対応するスキップ設定情報が記憶部１２に記憶されていることに基づき、スキップ設定情報で示される意思表示通知（クレジット決済意思表示情報の一例）を駐車料金サーバ２に送信して、クレジット決済による支払いをするか否かの搭乗者の選択操作のための処理をスキップする。これにより駐車料金サーバ２は、出口ゲートに到着した当該搭載車両の駐車料金に対するクレジット決済の処理を行う。
【００４１】
一方、スキップ設定問い合わせ画面が表示されたときに、搭乗者が「いいえ」を選択した場合はスキップ設定を行わないことになる。つまり、搭載車両の駐車場Ｐへの入庫時または駐車場Ｐからの出庫時に、受信した駐車料金サーバ２からの意思確認要求に対し、制御部１１は、この駐車場Ｐに対応するスキップ設定情報が記憶部１２に記憶されていないことに基づき、上記した意思確認画面を表示部１４に表示させて、搭乗者に対し、クレジット決済による支払いをするか否かを選択操作させる。つまり、クレジット決済による支払いをするか否かの搭乗者の選択操作のための処理をスキップさせない。そして、その選択結果がクレジット決済を行わないとの意思表示であった場合には、「クレジット決済の意思の無し」が設定された意思表示通知を駐車料金サーバ２に送信する。駐車料金サーバ２は当該意思表示通知を受けて、出口ゲートに到着した当該搭載車両の駐車料金に対し、搭乗者に現金支払いを行わせるように出力装置４を制御する。たとえば、上記したように、出口装置４に対して音声案内や駐車料金の表示を行わせて、搭乗者に対し当該現金領収部に備えられている現金投入口に駐車料金に相当する現金を投入させるよう促す。
【００４２】
一方、選択結果がクレジット決済を行うとの意思表示であった場合には、「クレジット決済の意思の有り」が設定された意思表示通知を駐車料金サーバ２に送信する。これにより駐車料金サーバ２は、出口ゲートに到着した当該搭載車両の駐車料金に対するクレジット決済の処理を行う。
【００４３】
なお、搭載車両の駐車場Ｐへの入庫時または駐車場Ｐからの出庫時に、受信した駐車料金サーバ２からの意思確認要求に対し、制御部１１は、この駐車場Ｐに対応するスキップ設定情報が記憶部１２に記憶されていない、つまり、「スキップ設定しますか？」というメッセージに対し、搭乗者が「いいえ」と選択したことに基づき、「クレジット決済の意思の無し」が設定された意思表示通知を駐車料金サーバ２に送信するようにしてもよい。つまり、上記した意思確認画面による搭乗者に対するクレジット決済するか否かの選択操作を行わせずに、「クレジット決済の意思の無し」が設定された意思表示通知を送信するようにしてもよい。これにより駐車料金サーバ２は、出力装置４を制御して現金支払いを行わせるようにする。上記したように、たとえば、出口装置４に対して音声案内や駐車料金の表示を行わせて、搭乗者に対し当該現金領収部に備えられている現金投入口に駐車料金に相当する現金を投入させるよう促すようにしてもよい。
【００４４】
または、搭載車両の駐車場Ｐへの入庫時または駐車場Ｐからの出庫時に、受信した駐車料金サーバ２からの意思確認要求に対し、制御部１１は、この駐車場Ｐに対応するスキップ設定情報が記憶部１２に記憶されていない、つまり、「スキップ設定しますか？」というメッセージに対し、搭乗者が「いいえ」と選択したことに基づき、クレジットカードの挿入状態を確認する。そして、クレジットカードが挿入されている場合には、「クレジット決済の意思の有り」と判断し、当該「クレジット決済の意思の有り」が設定された意思表示通知を駐車料金サーバ２に送信するようにしてもよい。つまり、上記した意思確認画面による搭乗者に対するクレジット決済するか否かの選択操作を行わせずに、「クレジット決済の意思の有り」が設定された意思表示通知を送信するようにしてもよい。これにより駐車料金サーバ２は、駐車料金サーバ２は、出口ゲートに到着した当該搭載車両の駐車料金に対するクレジット決済の処理を行う。
【００４５】
なお、目的地として、最終目的地に加えて経由地が設定された場合、つまり、複数の目的地が設定された場合に、目的地として複数の駐車場Ｐを含む施設が設定される場合がある。この場合、制御部１１は、目的地が設定された時点で全ての駐車場Ｐについてクレジット決済を利用する意思を確認するように処理しても良い。この場合、全ての駐車場Ｐについて一括して確認されるようにしても良いし、一箇所ずつ確認されるようにしても良い。或いは、制御部１１は、駐車場Ｐ一箇所ずつ別々のタイミングでクレジット決済を利用する意思を確認するように処理しても良い。例えば、目的地が設定された時点では、設定された目的までの移動経路上、搭載車両が最初に訪れる駐車場Ｐについてクレジット決済を利用する意思を確認する。そして、制御部１１は、経由地における駐車場Ｐにおいて駐車した後、例えば、搭載車両のエンジンが始動したときに、設定された移動経路上、搭載車両が次に訪れる駐車場Ｐについてクレジット決済を利用する意思を確認する。
【００４６】
［１．３  サーバの構成及び機能］
次に、駐車料金サーバ２の構成について説明する。図３は、本実施形態に係る駐車料金サーバ２の概要構成の一例を示すブロック図である。
【００４７】
図３に示すように、駐車料金サーバ２は、ＣＰＵ、ＲＡＭ、ＲＯＭ等を備える制御部２１と、各種プログラム及びデータ等を記憶する記憶部（例えば、ハードディスク等）２２と、ネットワークＮＷに接続して入口装置３や出口装置４との通信状態を制御する通信部２３（例えば、ネットワークアダプタ等）と、を備え、制御部２１と各部とはシステムバス２４を介して相互に接続されている。
【００４８】
制御部２１は、ＣＰＵが、ＲＯＭまたは記憶部２２に記憶された各種プログラム（サーバ装置用プログラムの一例を含む）を読み出し実行することにより、駐車料金サーバ２の各部を統括制御するとともに、意思表示情報受信手段、決済処理手段及び意思確認要求情報送信手段等として機能するようになっている。また、必要に応じて、出力装置４の現金領収部を制御する。
【００４９】
記憶部２２には、各駐車場Ｐの情報が登録される駐車場ＤＢ（データベース）が構築されている。この駐車場ＤＢには、例えば、駐車場Ｐの識別情報、駐車時間と駐車料金との対応関係を示す料金表データ等が、駐車場Ｐ毎に登録されている。また、駐車場ＤＢには、駐車場Ｐに入庫した搭載車両の車両識別情報と入庫時刻、及び、駐車場Ｐから出庫する搭載車両の車両識別情報と出庫時刻が、駐車場Ｐ毎に登録される。
【００５０】
なお、記憶部２２に記憶される各種プログラムは、例えば、ＣＤ−ＲＯＭ等の記録媒体に記録されてドライブ装置を介して読み込まれるようにしても良いし、通信部２３を介して所定のサーバ装置等からダウンロードされるようにしても良い。
【００５１】
このような構成の駐車料金サーバ２において、制御部２１は、各駐車場Ｐにおける搭載車両の入出庫に関する情報を管理するとともに、駐車場Ｐにおける駐車料金を課金する制御を行う。
【００５２】
具体的に、制御部２１は、搭載車両が駐車場Ｐの入口ゲートに到着したときに、当該搭載車両の車載器１から入口装置３を介して当該搭載車両の車両識別情報を受信する。この車両識別情報には、入口装置３によって駐車場Ｐの識別情報が付加される。これにより、制御部２１は、搭載車両が駐車場Ｐの入口ゲートに到着したことを認識する。そして、制御部２１は、車両識別情報の受信時刻を入庫時刻とし、車両識別情報と入庫時刻とを駐車場Ｐの識別情報に対応付けて駐車場ＤＢに登録する。
【００５３】
また、制御部２１は、車両が駐車場Ｐの出口ゲートに到着したときに、車両に搭載された車載器１から出口装置４を介して当該搭載車両の車両識別情報を受信する。この車両識別情報には、出口装置４によって駐車場Ｐの識別情報が付加される。これにより、制御部２１は、車両が駐車場Ｐの出口ゲートに到着したことを認識する。そして、制御部２１は、車両識別情報の受信時刻を出庫時刻とし、車両識別情報と出庫時刻とを駐車場Ｐの識別情報に対応付けて駐車場ＤＢに登録する。
【００５４】
そして、制御部２１は、対応する入庫時刻を駐車場ＤＢから検索し、入庫時刻と出庫時刻とに基づいて、車両識別情報が示す車両の駐車時間を算出し、駐車時間と料金表データとに基づいて駐車料金を計算する。
【００５５】
制御部２１は、駐車料金を計算すると、意思確認要求情報送信手段として、駐車料金を示す料金情報と意思確認要求とを出口ゲート４を介して車載器１に送信する。意思確認要求は、クレジット決済の意思の有無の確認を要求する通信メッセージである。
【００５６】
また、制御部２１は、意思表示情報受信手段として車載器１から意思表示通知を受信すると、決済処理手段として、意思表示通知の内容に応じて駐車料金を決済するのに必要な処理を行う。具体的に、制御部２１は、意思表示通知に「クレジット決済の意思の有り」が設定されている場合、クレジット決済情報をクレジット会社サーバ５に送信する。このクレジット決済情報には、例えば、意思表示通知に設定されているカード情報、駐車場Ｐの名称、駐車場Ｐの利用日等が設定される。一方、制御部２１は、意思表示通知に「クレジット決済の意思の無し」が設定されている場合、駐車場Ｐの出口装置４に、現金で駐車料金を領収するように通知する。そして、制御部２１は、クレジット決済情報を送信し、又は、出口装置４から駐車料金が現金で領収された旨の通知を受信すると、出口ゲートを開放させる指令を出口装置４に送信する。なお、制御部２１は、クレジット決済情報をリアルタイムで送信するのではなく、所定のタイミングにバッチ処理でまとめて送信しても良い。この場合、制御部２１は、「クレジット決済の意思の有り」が設定された意思表示通知受信した時点で出口ゲートを開放させる。また、制御部２１は、クレジット決済情報をクレジット会社サーバ５に送信した後、クレジット会社サーバ５からクレジット決済の認証に成功した旨の通知を受信した後に出口ゲートを開放させても良い。
【００５７】
上記では、設定された目的地に関わる駐車場への駐車料金の支払いを対象として、当該目的地の設定の際に「スキップ設定問い合わせ画面」を表示部１４に表示して、クレジット決済を利用する意思（クレジット決済の意思確認に伴う搭乗者の選択操作をスキップする意思）を確認するようにしているが、これに限ることはない。たとえば、搭載車両がいずれの駐車場の場外にあるときで、クレジットカードが挿入されたり、または、搭載車両のエンジンが起動されたりしたときにスキップ設定問い合わせ画面を表示部１４に表示して、クレジット決済による駐車料金の支払いを可能とする全ての有料駐車場を対象として、クレジット決済を利用する意思を確認するようにしてもよい。この場合、たとえば、「スキップ設定問い合わせ画面」で確認された意思表示通知の設定は、その確認された日を対象として有効とし、次の日にはリセットされ、再度意思を確認するようにする。そのようにすれば、目的地の設定の都度意思の確認をおこなう必要がなく、さらなる利便性が向上される。
【００５８】
また、上記のように、クレジット決済による駐車料金の支払いを可能とする全ての有料駐車場（駐車場Ｐ）を対象として、クレジット決済を利用するという搭乗者の意思が確認された場合においては、搭載車両が何れかの駐車場Ｐの入口ゲートの前に到着したときに、車載器１が、当該搭乗者の意思を再度確認するための制御を行っても良い。例えば、車載器１が、「スキップ設定がされていますが良いですか？」等メッセージを表示等し、これに対して搭乗者から所定時間内にスキップ設定を認めない操作がされた場合には、当該駐車場に対しては、スキップ設定を解除する。スキップ設定が解除された場合、車載器１は、搭載車両が出庫するとき、駐車料金の支払いにクレジット決済を利用するか否かの搭乗者の意思を入力させるために上記した「意思確認画面」を表示する処理を行う。また、たとえば所定時間内にスキップ設定を認めない操作がされた場合には、当該駐車場に対してはスキップ設定を解除する。スキップ設定が解除された場合、当該駐車場を含め以降の駐車場について車載器１は、搭載車両が出庫するとき、駐車料金のクレジット決済を行うか否かについて上記した「意思確認画面」を表示する処理を行う。  
【００５９】
［１．４  駐車料金決済システムの動作］
次に、駐車料金決済システムＳの動作について説明する。なお、以下では、目的地の設定時における駐車料金決済システムＳの動作について説明する。
【００６０】
［１．４．１  目的地設定時の動作］
先ず、車載器１において目的地の設定時における動作について説明する。図４は、本実施形態に係る車載器１の目的地設定時の処理例を示すフローチャートである。
【００６１】
図４に示す処理は、例えば、目的地が設定され、この目的地までの移動経路が設定されたときに開始される。先ず、制御部１１は、目的地が駐車場Ｐを含む施設であるか否かを判定する（ステップＳ１）。この判定は、例えば、施設データに基づいて行われる。具体的に、目的地として設定された施設が有料駐車場を有し、この有料駐車場が、クレジット決済を含む複数の支払い方法から駐車料金の支払い方法が検索可能であると、この施設の詳細情報に示されている場合には、目的地が駐車場Ｐを含む施設であると判定される。そして、制御部１１は、目的地が駐車場Ｐを含む施設ではない場合には（ステップ１：ＮＯ）、図４に示す処理を終了させる。
【００６２】
一方、制御部１１は、目的地が駐車場Ｐを含む施設である場合には（ステップＳ１：ＹＥＳ）、スキップ設定問い合わせ画面を表示部１４に表示させる（ステップＳ２）。次いで、制御部１１は、スキップ設定をするか否かを判定する（ステップＳ３）。このとき、制御部１１は、搭乗者が「いいえ」を選択した場合には、スキップ設定をしないと判定し（ステップＳ３：ＮＯ）、図４に示す処理を終了させる。
【００６３】
一方、制御部１１は、搭乗者が「はい」を選択した場合には、スキップ設定をすると判定し（ステップＳ３：ＹＥＳ）、次に、クレジットカードの挿入を確認する（ステップＳ４）。具体的に、制御部１１は、カード読取部１７からクレジットカードの挿入状態を取得する。クレジットカードがカード読取部１７に挿入されている場合、制御部１１は、クレジットカードの挿入確認を終了する。一方、クレジットカードがカード読取部１７に挿入されていない場合、制御部１１は、「クレジットカードを挿入してください」等のメッセージを表示部１４に表示させる。そして、クレジットカードがカード読取部１７に挿入されると、制御部１１は、クレジットカードの挿入確認を終了する。
【００６４】
次いで、制御部１１は、スキップ設定を行う（ステップＳ５）。具体的に、制御部１１は、目的地に設定された施設の識別情報を駐車場Ｐの識別情報として含むスキップ設定情報を記憶部１２に記憶させる。この処理を終えると、制御部１１は、図４に示す処理を終了させ、ナビゲーション処理を開始させる。
【００６５】
［１．４．２  駐車場利用時の動作］
次に、駐車場Ｐの利用時における動作について説明する。ここでは、スキップ設定されたことによるクレジット決済を利用する意思を、入口ゲートで駐車料金サーバ２に通知する場合を実施例１として説明し、出口ゲートで駐車料金サーバ２に通知する場合を実施例２として説明する。
【００６６】
［１．４．２．１  実施例１］
図５及び図６は、本実施形態に係る駐車料金決済システムＳの駐車場Ｐの利用時における実施例１の処理例を示すフローチャートである。
【００６７】
図５に示す処理は、搭載車両が駐車場Ｐの入口ゲートに到着することによって、車載器１と入口装置３とが互いに通信可能となり、入口装置３から車載器１に駐車場Ｐの識別情報を受信した時に開始される。車載器１の制御部１１は、入口到着検出手段として、入口装置３との通信開始を検出することにより、搭載車両が入口ゲートに到着したことを認識する。
【００６８】
先ず、制御部１１は、記憶部１２に記憶されている車両識別情報を、入口装置３を介して駐車料金サーバ２に送信する（ステップＳ１０１）。
【００６９】
駐車料金サーバ２の制御部２１は、車載器１から車両識別情報を受信すると、車両識別情報と入庫時刻とを駐車場ＤＢに登録する（ステップＳ２０１）。次いで、制御部２１は、意思確認要求を入口装置３を介して車載器１に送信する（ステップＳ２０２）。
【００７０】
車載器１の制御部１１は、意思確認要求を受信すると、スキップ設定有りか否かを判定する（ステップＳ１０２）。スキップ設定有りか否かの判定は、入口装置３から受信した駐車場Ｐの識別情報に対応するスキップ設定情報が記憶部１２に記憶されているか否かに基づいて行われる。ここで、制御部１１は、スキップ設定有りである場合には（ステップＳ１０２：ＹＥＳ）、意思表示通知の設定を行う（ステップＳ１０７）。具体的に、制御部１１は、クレジット決済意思種別として「クレジット決済の意思の有り」を意思表示通知に設定する。また、制御部１１は、カード読取部１７によりカード情報を読み取らせ、このカード情報を意思表示通知に設定する。
【００７１】
一方、制御部１１は、スキップ設定無しである場合には（ステップＳ１０２：ＮＯ）、意思確認画面を表示部１４に表示させる（ステップＳ１０３）。次いで、制御部１１は、クレジット決済を行うか否かを判定する（ステップＳ１０４）。このとき、制御部１１は、搭乗者が「いいえ」を選択した場合には、クレジット決済を行わないと判定し（ステップＳ１０４：ＮＯ）、意思表示通知のクレジット決済意思種別として、「クレジット決済の意思の無し」を設定する（ステップＳ１０５）。
【００７２】
一方、制御部１１は、搭乗者が「はい」を選択した場合には、クレジット決済を行うと判定し（ステップＳ１０４：ＹＥＳ）、クレジットカードの挿入を確認する（ステップＳ１０５）。この処理は、図４に示すステップＳ４の処理と同様である。次いで、制御部１１は、意思表示通知のクレジット決済意思種別として、「クレジット決済の意思の有り」を設定する（ステップＳ１０７）。
【００７３】
制御部１１は、ステップＳ１０５又はＳ１０７において、意思表示通知のクレジット決済意思種別を設定すると、この意思表示通知を入口装置３を介して駐車料金サーバ２に送信する（ステップＳ１０８）。
【００７４】
なお、上述したように、クレジット決済による駐車料金の支払いを可能とする全ての有料駐車場を対象として、クレジット決済を行うとの意思が、制御部１１により確認された場合において（この場合、上記ステップＳ１０２でスキップ設定有りである）、制御部１１は、スキップ設定確認画面を表示部１４に表示させ、スキップ設定の有無を搭乗者が確認できるようにしてもよい。このとき現金支払いに変更したいと考える搭乗者の利便を考慮してスキップ設定の一時解除や設定変更の操作もできるようにしてもよい。例えば、制御部１１は、スキップ設定確認画面の表示状態において、搭乗者が操作部１３を操作して「いいえ」を選択した場合には、スキップ設定が解除されたと判定し、ステップＳ１０５に進む。
【００７５】
駐車料金サーバ２の制御部２１は、意思表示通知を受信すると、この意思表示通知が示す意思表示の情報を車両識別情報に対応付けて駐車場ＤＢに登録する（ステップＳ２０３）。
【００７６】
次いで、制御部２１は、入口ゲートの開放指令を入口装置３に送信する（ステップ２０４）。開放指令を受信した入口装置３は、入口ゲートを開放駆動する。
【００７７】
車載器１が意思表示通知を送信すると（ステップＳ１０８）、入口ゲートが開放するので、搭乗者は、入口ゲートから搭載車両を進めて、駐車場Ｐ内の駐車スペースに搭載車両を駐車させる。
【００７８】
その後、搭乗者は、駐車場Ｐを利用した後、出庫するために搭載車両を出口ゲートに進める。搭載車両が出口ゲートに到着すると、車載器１と出口装置４とが互いに通信可能となる。車載器１の制御部１１は、出口装置４との通信開始を検出することにより、図６に示すように、搭載車両が出口ゲートに到着したことを認識する（ステップＳ１０９）。
【００７９】
次いで、制御部１１は、記憶部１２に記憶されている車両識別情報を、出口装置４を介して駐車料金サーバ２に送信する（ステップＳ１１０）。
【００８０】
駐車料金サーバ２の制御部２１は、車両識別情報を受信すると、車両識別情報と出庫時刻とを駐車場ＤＢに登録する（ステップＳ２０５）。次いで、制御部２１は、登録された入庫時刻と出庫時刻とに基づいて、駐車料金の計算を行う（ステップＳ２０６）。次いで、制御部２１は、料金情報を出口装置４を介して車載器１に送信する（ステップＳ２０７）。
【００８１】
車載器１の制御部１１は、料金情報を受信すると、料金情報取得手段として、料金情報が示す駐車料金を表示部１４に表示させる（ステップＳ１１１）。
【００８２】
駐車料金サーバ２の制御部２１は、料金情報を送信した後、受信した車両識別情報に対応して登録されている意思表示を確認する（ステップＳ２０８）。次いで、制御部２１は、この意思表示に設定されたクレジット決済意思種別が「クレジット決済の意思の有り」であるか否かを判定する（ステップＳ２１０）。
【００８３】
このとき、制御部２１は、クレジット決済意思種別が「クレジット決済の意思の無し」である場合には（ステップＳ２１０：ＮＯ）、現金支払い制御処理を実行する（ステップＳ２１１）。具体的に、制御部２１は、現金領収指令を出口装置４に送信する。現金領収指令を受信した出口装置４は、例えば、現金投入口を開放させる。搭乗者により現金投入口に現金が投入され、駐車料金に相当する現金が投入されると、出口装置４から現金領収完了通知が駐車料金サーバ２に送信される。制御部２１は、現金領収完了通知を受信すると、現金支払い制御処理を終了させる。
【００８４】
一方、制御部２１は、クレジット決済意思種別が「クレジット決済の意思の有り」である場合には（ステップＳ２１０：ＹＥＳ）、クレジット決済制御処理を実行する（ステップＳ２１２）。具体的に、制御部２１は、意思表示通知に設定されたカード情報を含むクレジット決済情報をクレジット会社サーバ５に送信する。
【００８５】
制御部２１は、ステップＳ２１１又はステップＳ２１２の処理を終えると、出口ゲートの開放指令を出口装置４に送信する（ステップ２１３）。開放指令を受信した出口装置４は、出口ゲートを開放駆動する。
【００８６】
なお、クレジット決済を利用する意思が有るか否かを確認する処理（ステップＳ１０３〜Ｓ１０８）において、車載器１の制御部１１は、クレジット決済を行うか否かを搭乗者に選択させるように制御していたが、これとは異なる条件で搭乗者の意思を判定しても良い。例えば、制御部１１は、搭乗者がクレジット決済を利用する意思がないと判断して処理を行っても良い。この場合、図４における意思確認は、クレジット決済を利用する意思が有るか無いかの意思確認となる。また、制御部１１は、クレジットカードがカード読取部１７に挿入されている場合には、搭乗者がクレジット決済を利用する意思が有ると判断して処理を行い、クレジットカードがカード読取部１７に挿入されていない場合には、搭乗者がクレジット決済を利用する意思が無いと判断して処理を行っても良い。この場合、クレジットカードの挿入の有無が、クレジット決済を利用する意思が有るか無いかの意思を示すものとなる。また、制御部１１は、クレジットカードがカード読取部１７に挿入されている場合にのみ、クレジット決済を行うか否かを搭乗者に選択させ、クレジットカードがカード読取部１７に挿入されていない場合には、搭乗者がクレジット決済を利用する意思が無いと判断して処理を行っても良い。
【００８７】
［１．４．２．２  実施例２］
図７は、本実施形態に係る駐車料金決済システムＳの駐車場Ｐの利用時における実施例２の処理例を示すフローチャートであり、同図において、図５又は図６と同様の要素については同様の符号を付してある。
【００８８】
図７に示す処理は、搭載車両が駐車場Ｐの入口ゲートに到着したときに開始される。車載器１の制御部１１は、車両識別情報を駐車料金サーバ２に送信する（ステップＳ１０１）。
【００８９】
駐車料金サーバ２の制御部２１は、車両識別情報を受信すると、車両識別情報と入庫時刻とを駐車場ＤＢに登録し（ステップＳ２０１）、入口ゲートの開放指令を入口装置３に送信する（ステップＳ２０４）。
【００９０】
すると、入口ゲートが開放するので、搭乗者は、入口ゲートから搭載車両を進めて、駐車場Ｐ内の駐車スペースに搭載車両を駐車させる。
【００９１】
その後、搭乗者は、出庫するために搭載車両を出口ゲートに進める。搭載車両が出口ゲートに到着すると（ステップＳ１０９）、車載装置１の制御部１１は、車両識別情報を駐車料金サーバ２に送信する（ステップＳ１１０）。
【００９２】
駐車料金サーバ２の制御部２１は、車両識別情報を受信すると、車両識別情報と出庫時刻とを駐車場ＤＢに登録し（ステップＳ２０５）。駐車料金の計算を行う（ステップＳ２０６）。次いで、制御部２１は、料金情報と意思確認要求とを出口装置４を介して車載器１に送信する（ステップＳ２３１）。なお、ここで制御部２１は、意思確認要求を送信しなくても良く、この場合、車載器１においては、例えば、車両識別情報を送信した後、自律的にステップＳ１３１、Ｓ１０３〜Ｓ１０８の処理を行うようにすれば良い。
【００９３】
車載器１の制御部１１は、料金情報と意思確認要求とを受信すると、駐車料金を表示部１４に表示させる（ステップＳ１１１）。次いで、制御部１１は、スキップ設定有りか否かを判定する（ステップＳ１３１）。このとき、制御部１１は、スキップ設定有りである場合には（ステップＳ１３１：ＹＥＳ）、意思表示通知のクレジット決済意思種別として、「クレジット決済の意思の有り」を設定し（ステップＳ１０７）、この意思表示通知を出口装置４を介して駐車料金サーバ２に送信する（ステップＳ１０８）。なお、このとき制御部１１は、クレジットカードで決済される旨のメッセージを表示部１２に表示させるとともに、スキップ設定を解除しても良い。
【００９４】
駐車料金サーバ２の制御部２１は、意思表示通知を受信すると、この意思表示通知に設定されたクレジット決済意思種別が「クレジット決済の意思の有り」であるか否かを判定する（ステップＳ２１０）。スキップ設定有りである場合、制御部２１は、「クレジット決済の意思の有り」であると判定するので（ステップＳ２１０：ＹＥＳ）、制御部２１は、クレジット決済制御処理を行った後（ステップＳ２１２）、出口ゲートの開放指令を送信する（ステップＳ２１３）。
【００９５】
一方、車載器１の制御部１１は、ステップＳ１３１においてステップ設定無しである場合には（ステップＳ１３１：ＮＯ）、クレジット決済を利用する意思が有るか否かを確認する処理を行う。この場合における車載器１の制御部１１における処理（ステップＳ１０３〜Ｓ１０８）と、駐車料金サーバ２の制御部２１における処理（ステップＳ２１０〜Ｓ２１３）とは、実施例１における処理と同様である。
【００９６】
以上説明したように、本実施形態によれば、車載器１の制御部１１が、これから利用される駐車場Ｐの場外に搭載車両が位置しているときにスキップ設定するものとして当該駐車場Ｐの駐車料金をクレジット決済する意思表示が搭乗者から入力されるように制御し、クレジット決済する意思表示入力された場合、「クレジット決済の利用の意思有り」が設定された意思表示通知を所定のタイミングで駐車料金サーバ２に送信し、駐車場Ｐの場内でクレジット決済を行うか否かを搭乗者に入力させる制御を省略する。一方、駐車料金サーバ２の制御部２１が、車載器１から「クレジット決済の利用の意思有り」が設定された意思表示通知を受信した場合には、クレジット決済制御処理を行う。
【００９７】
従って、駐車場Ｐの場外でスキップ設定がされていれば、駐車場Ｐの出口においてクレジット決済を利用する意思を搭乗者に確認する処理が省略されるので、駐車場Ｐの駐車料金についてクレジット決済の利用の意思を確認することができるとともに、車両がスムーズに駐車場Ｐから出ることができる。
【００９８】
また、車載器１の制御部１１が、駐車料金サーバ２から送信された意思確認要求を受信した時点でスキップ設定有りである場合に、「クレジット決済の利用の意思有り」が設定された意思表示通知を送信することにより、駐車料金サーバ２においては、決済方法の確認処理を従来の処理から変更する必要がない。
【００９９】
また、車載器１の制御部１１が、搭載車両がこれから向かう目的地を設定し、設定された目的地が駐車場Ｐを含む施設である場合に、目的地が設定されたときにスキップ設定をするか否かが搭乗者から入力されるように制御するので、搭乗者が駐車場Ｐを利用する意思が示されたことに基づいて確実に駐車場Ｐの場外で搭乗者の意思を確認することができる。
【０１００】
また、車載器１の制御部１１が、搭載車両が駐車場Ｐの入口ゲートの前に到着したことを検出し、入口ゲートの前に到着したことが検出されたときに当該駐車場Ｐについてスキップ設定がされている場合に、「クレジット決済の利用の意思有り」が設定された意思表示通知を送信することもできる。
【０１０１】
［２．第２実施形態］
上記説明した第１実施形態においては、スキップ設定有りである場合に、車載器１から駐車料金サーバ２に、「クレジット決済の意思の有り」が設定された意思表示通知が送信され、これによって、駐車場Ｐの出口において車載器１による搭乗者の意思確認が省略されていた。これに対し、以下に説明する第２実施形態においては、車載器１がスキップ設定有無を示す情報を駐車料金サーバ２に送信し、駐車料金サーバ２が受信した情報に基づいて搭乗者の意思確認を省略するか否かを判断する。
【０１０２】
具体的に、車載器１の制御部１１が、車載器１自身がスキップ機能を有することを示すスキップ設定機能有り通知を駐車料金サーバ２に送信する。すると、駐車料金サーバ２の制御部２１が、設定確認要求情報送信手段として、スキップ設定の有無を確認するスキップ設定確認要求を車載器１に送信する。これに応じて、車載器１の制御部１１が、設定有無情報送信手段として、駐車場Ｐへの入庫時又は出庫時、その時点におけるその駐車場Ｐに対応するスキップ設定に応じたスキップ設定内容情報（設定有無情報の一例）を駐車料金サーバ２に送信する。このとき、制御部１１は、スキップ設定情報が記憶部１２に記憶されている場合には、スキップ設定有りを示すスキップ設定内容情報（クレジット決済意思表示情報の他の例）を送信し、スキップ設定情報が記憶部１２に記憶されていない場合には、スキップ設定無しを示すスキップ設定内容情報を送信する。
【０１０３】
そして、駐車場Ｐからの出庫時、駐車料金サーバ２の制御部２１は、受信したスキップ設定内容情報がスキップ設定無しを示す場合には、通常と同様に意思確認要求を車載器１に送信する。一方、制御部２１は、受信したスキップ設定内容情報がスキップ設定有りを示す場合には、意思確認要求を送信せずに、クレジット決済制御処理を行う。
【０１０４】
［２．１  駐車料金決済システムの動作］
次に、駐車料金決済システムＳの動作について説明する。ここでは、駐車料金決済システムＳの駐車場Ｐの利用時における動作について、第１実施形態の場合と同様に、実施例１と実施例２とを説明する。なお、車載器１において目的地の設定時における動作については、第１実施形態における動作と同様であるので、説明は省略する。
【０１０５】
［２．１．１  実施例１］
図８及び図９は、本実施形態に係る駐車料金決済システムＳの駐車場Ｐの利用時における実施例１の処理例を示すフローチャートであり、図８及び図９において、図５又は図６と同様の要素については同様の符号を付してある。
【０１０６】
図８に示すように、搭載車両が駐車場Ｐの入口ゲートに到着すると、車両識別情報とスキップ設定機能有り通知とを入口装置３を介して駐車料金サーバ２に送信する（ステップＳ１４１）。
【０１０７】
駐車料金サーバ２の制御部２１は、車載器１から車両識別情報とスキップ設定機能有り通知とを受信すると、車両識別情報と入庫時刻とを駐車場ＤＢに登録する（ステップＳ２０１）。次いで、制御部２１は、スキップ設定機能有り通知を受信したことに対応して設定確認要求を入口装置３を介して車載器１に送信する（ステップＳ２４１）。なお、スキップ設定機能有り通知を受信しなかった場合、駐車料金サーバ２においては、従来における処理内容と同様の処理が行われる。
【０１０８】
車載装置１の制御部１１は、設定確認要求を受信すると、スキップ設定内容情報を入口装置３を介して駐車料金サーバ２に送信する（ステップＳ１４２）。
【０１０９】
駐車料金サーバ２の制御部２１は、車載器１からスキップ設定内容情報を受信すると、このスキップ設定内容情報がスキップ設定有りを示すか否かを判定する（ステップＳ２４２）。このとき、制御部２１は、スキップ設定内容情報がスキップ設定有りを示す場合には（ステップＳ２４２：ＹＥＳ）、ステップＳ２０３に移行する。一方、制御部２１は、スキップ設定内容情報がスキップ設定無しを示す場合には（ステップＳ２４２：ＮＯ）、意思確認要求を車載器１に送信して（ステップＳ２０２）、ステップＳ２０３に移行する。
【０１１０】
なお、ステップＳ１４１において、車載器１は、スキップ設定機能有り通知を送信することなく、車両識別情報とスキップ設定内容情報とを駐車料金サーバ２に送信しても良い。この場合、駐車料金サーバ２は、設定確認要求を車載器１に送信することなく、スキップ設定内容情報の判定を行えば良い。
【０１１１】
車載器１の制御部１１は、意思確認要求を受信すると、クレジット決済を利用する意思が有るか否かを確認する処理を行う。この場合における車載器１の制御部１１における処理（ステップＳ１０３〜Ｓ１０８）は、第１実施形態の実施例１における処理と同様である。
【０１１２】
駐車料金サーバ２の制御部２１は、車載器１から意思表示通知を受信すると、この意思表示通知が示す意思表示の情報を駐車場ＤＢに登録して（ステップＳ２０３）入口ゲートの開放指令を送信する（ステップＳ２０４）。
【０１１３】
図９に示すように、その後、搭載車両が出口ゲートに到着すると（ステップＳ１０９）、車載装置１の制御部１１は、車両識別情報を駐車料金サーバ２に送信する（ステップＳ１１１０）。
【０１１４】
駐車料金サーバ２の制御部２１は、車両識別情報を受信すると、車両識別情報と出庫時刻との登録、駐車料金の計算、及び料金情報の送信を行う（ステップＳ２０５〜Ｓ２０７）。
【０１１５】
車載器１の制御部１１は、料金情報と意思確認要求とを受信すると、駐車料金を表示部１４に表示させる（ステップＳ１１１）。
【０１１６】
駐車料金サーバ２の制御部２１は、料金情報を送信した後、決済方法の意思確認と決済に必要な処理を行う。この場合における、駐車料金サーバ２の制御部２１における処理（ステップＳ２０８〜Ｓ２１３）は、第１実施形態の実施例１における処理と同様である。
【０１１７】
［２．１．２  実施例２］
図１０は、本実施形態に係る駐車料金決済システムＳの駐車場Ｐの利用時における実施例２の処理例を示すフローチャートであり、同図において、図８又は図９と同様の要素については同様の符号を付してある。
【０１１８】
図１０に示すように、搭載車両が駐車場Ｐの入口ゲートに到着すると、車載器１の制御部１１は、車両識別情報を駐車料金サーバ２に送信する（ステップＳ１０１）。
【０１１９】
駐車料金サーバ２の制御部２１は、車両識別情報を受信すると、車両識別情報と入庫時刻との登録、及び入口ゲートの開放指令の送信を行う（ステップＳ２０１、Ｓ２０４）。
【０１２０】
その後、搭載車両が出口ゲートに到着すると（ステップＳ１０９）、車載装置１の制御部１１は、車両識別情報とスキップ設定機能有り通知とを出口装置４を介して駐車料金サーバ２に送信する（ステップＳ１５１）。
【０１２１】
なお、車載器１は、スキップ設定機能有り通知を送信することなく、車両識別情報とスキップ設定内容情報とを駐車料金サーバ２に送信しても良い。この場合、駐車料金サーバ２は、設定確認要求を車載器１に送信することなく、スキップ設定内容情報の判定を行えば良い。
【０１２２】
駐車料金サーバ２の制御部２１は、車両識別情報とスキップ設定機能有り通知とを受信すると、車両識別情報と出庫時刻との登録、及び駐車料金の計算を行い（ステップＳ２０５、Ｓ０６）、料金情報と設定確認要求とを出口装置４を介して車載器１に送信する（ステップＳ２５１）。
【０１２３】
車載器１の制御部１１は、料金情報と設定確認要求とを受信すると、駐車料金を表示部１４に表示させ（ステップＳ１１１）、スキップ設定内容情報を出口装置４を介して駐車料金サーバ２に送信する（ステップＳ１５２）。
【０１２４】
駐車料金サーバ２の制御部２１は、車載器１からスキップ設定内容情報を受信すると、このスキップ設定内容情報がスキップ設定有りを示すか否かを判定する（ステップＳ２５２）。このとき、制御部２１は、スキップ設定内容情報がスキップ設定有りを示す場合には（ステップＳ２５２：ＹＥＳ）、クレジット決済制御処理、及び出口ゲートの開放指令の送信を行う（ステップＳ２１２、Ｓ２１３）。
【０１２５】
一方、駐車料金サーバ２の制御部２１は、スキップ設定内容情報がスキップ設定無しを示す場合には（ステップＳ２５２：ＮＯ）、決済方法の意思確認と決済に必要な処理を行う。この場合における、駐車料金サーバ２の制御部２１における処理（ステップＳ２０９〜Ｓ２１３）と、車載器１の制御部１１における処理（ステップＳ１０３〜Ｓ１０８）とは、第１実施形態の実施例１における処理と同様である。
【０１２６】
なお、スキップ設定有りである場合、車載器１の制御部１１は、クレジットカードで決済される旨のメッセージを表示部１２に表示させるとともに、スキップ設定を解除しても良い。
【０１２７】
以上説明したように、本実施形態によれば、車載器１の制御部１１が、これから利用される駐車場Ｐの場外に搭載車両が位置しているときにスキップ設定するものとして当該駐車場Ｐの駐車料金をクレジット決済する意思表示が搭乗者から入力されるように制御し、クレジット決済する意思表示が入力された場合にはスキップ設定を行い、スキップ設定の有無を示すスキップ設定有無通知を所定のタイミングで駐車料金サーバ２に送信し、駐車場Ｐの場内でクレジット決済を行うか否かを搭乗者に入力させる制御を省略する。そして、駐車料金サーバ２の制御部２１が、車載器１から受信したスキップ設定有無通知がスキップ設定有りを示す場合にはクレジット決済制御処理を行う。
【０１２８】
従って、駐車場Ｐの場外でスキップ設定がされていれば、駐車場Ｐの出口においてクレジット決済を利用する意思を搭乗者に確認する処理が省略されるので、駐車場Ｐの駐車料金についてクレジット決済の利用の意思を確認することができるとともに、車両がスムーズに駐車場Ｐから出ることができる。
【０１２９】
［３．変形例］
上記各実施形態においては、目的地設定時においての問い合わせは、スキップ設定するか否か、或いは、クレジット決済を利用する意思表示又は利用しない意思表示の何れかがされたか、を問い合わせるようになっていた。これ以外にも、クレジット決済を利用する意思がある駐車料金の上限を問い合わせるようにしても良い。例えば、図４に示す処理において、スキップ設定することが選択された場合（ステップＳ３：ＹＥＳ）、車載器１の制御部１１が、クレジット決済を利用する意思がある駐車料金の上限が搭乗者から入力されるように制御する。そして、駐車料金の範囲としてＸ円以下等が入力された場合、当該料金の上限を示す情報を含むスキップ設定情報を記憶部１２に記憶させる。
【０１３０】
その後、例えば、第１実施形態の実施例２においては、図７に示す処理において、スキップ設定有りである場合（ステップＳ１３１：ＹＥＳ）、車載器１の制御部１１が、駐車料金サーバ２から受信した料金情報が示す駐車料金がスキップ設定情報に含まれる料金の上限以下であるか否かを判定する。そして、制御部１１は、駐車料金がスキップ設定情報に含まれる料金の上限以下である場合には、「クレジット決済の意思有り」が設定された意思表示通知を送信し、駐車料金がスキップ設定情報に含まれる料金を越える場合には、通常の意思確認の処理を行う（ステップＳ１０３）。
【０１３１】
例えば、第２実施形態の実施例１においては、図１０に示す処理において、車載器１の制御部１１が、スキップ設定有無を示すとともに、入力された料金の上限を示すスキップ設定内容情報を駐車料金サーバ２に送信する（ステップＳ１５２）。そして、図９に示す処理において、スキップ設定有りである場合（ステップＳ２５２：ＹＥＳ）、駐車料金サーバ２の制御部２１が、計算した駐車料金がスキップ設定内容情報に含まれる料金の上限以下であるか否かを判定する。そして、制御部２１は、駐車料金がスキップ設定内容情報に含まれる料金の上限以下である場合には、クレジット決済制御処理を行い、駐車料金がスキップ設定内容情報に含まれる料金の上限を超える場合には、通常の意思確認の処理を行う（ステップＳ２０９）。
【０１３２】
駐車場Ｐにおいては、駐車時間によって駐車料金が変化する。このような場合には、クレジット決済を利用する意思がある駐車の上限を搭乗者が予め決めておくことで、決済方法の選択に関して搭乗者の意思をより反映させることができる。
【０１３３】
また、上記各実施形態においては、駐車場Ｐが目的地に設定された時点でスキップ設定をするか否かが入力されるように制御されていたが、これから利用される駐車場Ｐの場外で入力されるように制御する方法としてはこれだけに限られるものではない。例えば、車載器１が目的地に向かって経路誘導しているときに、設定された経路に沿って搭載車両が現在位置から目的地に移動するのに要する距離が所定距離以下になったときに、車載器１がスキップ設定をするか否かを搭乗者に問い合わせするようにしても良い。この所定距離の値は予め設定されていても良いし、搭乗者により設定されても良い。スキップ設定をするか否かを搭乗者が選択するのに数秒から十数秒要するので、選択されるまでの間に搭乗者が駐車場Ｐに到着してしまわないように、所定距離が予め設定されていると良い。また、例えば、車載器１が搭載車両が現在位置から目的地に移動するのに要する時間を推定し、この時間が所定時間以下になったときに、車載器１がスキップ設定をするか否かを搭乗者に問い合わせするようにしても良い。
【０１３４】
また、上記各実施形態においては、クレジットカードが車載器１に挿入されていることをスキップ設定が行われる条件としていたが、この条件は必須ではない。例えば、車載器１にユーザがカード情報を登録しておき、登録されたカード情報を車載器１が駐車料金サーバ２に送信しても良い。或いは、駐車料金サーバ２において、ユーザが所有する車両の車両識別情報に対応付けてカード情報が予め記憶部２２のデータベース等に登録されていても良い。これらの場合、車載器１はカード読取部１７を備えていなくても良い。また、ＥＴＣカードに記録されている情報を読み取るようにカード読取部１７を構成し、車載器１がこの情報を駐車料金サーバ２に送信することによって、駐車料金サーバ２においてクレジット決済に必要な処理が行われても良い。
【０１３５】
また、上記各実施形態においては、車載器１は、設定された目的地における駐車場Ｐに関してのみスキップ設定が行われるようにしていたが、例えば、目的地設定時にスキップ設定が行われた場合、このスキップ設定を、駐車場Ｐが設定された目的地に含まれているか否かにかかわらず、設定時以降に搭載車両が立ち寄る駐車場Ｐ全てに適用しても良い。また、この場合、車載器１は、駐車場Ｐでの駐車料金の決済時に、スキップ設定がされているか否かを示すメッセージを画面表示し、設定を変更する必要がある場合には搭乗者により設定を変更することができるようにしても良い。また、このときのスキップ設定は、搭乗者により任意に変更することが可能となっていても良い。
【０１３６】
また、上記各実施形態においては、車載器１は、目的地の設定時に、スキップ設定をするか否かの入力されるように制御していたが、例えば、クレジットカードの車載器１への挿入時、搭載車両へのユーザの搭乗時、搭載車両のエンジン始動時等のタイミングでスキップ設定をするか否かの入力されるように制御しても良い。また、車載器１は、スキップ設定が行われている場合に、クレジットカードの車載器１への挿入時、搭載車両へのユーザの搭乗時、搭載車両のエンジン始動時等のタイミングでスキップ設定の確認をユーザに行わせるようにしても良い。
【０１３７】
また、車載器１は、意思確認画面、及びスキップ設定問い合わせ画面を表示する代わりに、夫々メッセージを音声出力することにより搭乗者に対して問い合わせを行っても良い。
【０１３８】
また、上記第２実施形態においては、スキップ設定がされた場合、搭載車両が駐車場Ｐの入口ゲートに到着したとき、又は、出口ゲートに到着したときに、車載器１はクレジット決済する意思を駐車料金サーバ２に通知していたが、通知タイミングはこれだけに限られるものではない。例えば、搭載車両が駐車場Ｐの入口ゲートに到着してから出口ゲートに到着するまでの期間における何れかのタイミングで通知されても良い。つまり、搭載車両が駐車場Ｐに駐車することが確定したタイミングから決済方法が選択されていなければならないタイミングまでの間に通知されれば良い。
【０１３９】
また、車載装置を、携帯電話機、ＰＤＡ（Personal Digital Assistant）、ノートパソコン等の携帯端末に適用しても良い。そして、例えば、ナビゲーション装置やＥＴＣ車載器等と接続されたクレードルに携帯端末を装着した態様で、ユーザの意思を駐車場Ｐの場外で入力させる制御を行うように構成しても良い。
【符号の説明】
【０１４０】
１  車載器
２  駐車料金サーバ
３  入口装置
４  出口装置
５  クレジット会社サーバ
１１  制御部
１２  記憶部
１３  操作部
１４  表示部
１５  無線通信部
１６  センサ部
１７  カード読取部
１８  システムバス
２１  制御部
２２  記憶部
２３  通信部
２４  システムバス
Ｐ  駐車場
Ｓ  駐車料金決済システム
【図１】
0005497354.tif 000002
【図２】
0005497354.tif 000003
【図３】
0005497354.tif 000004
【図４】
0005497354.tif 000005
【図５】
0005497354.tif 000006
【図６】
0005497354.tif 000007
【図７】
0005497354.tif 000008
【図８】
0005497354.tif 000009
【図９】
0005497354.tif 000010
【図１０】
0005497354.tif 000011